(57)【要約】      （修正有）【課題】鏡面のほぼ幅一に形成したハンドルを鏡板表面から突出して設け、抽出しの脇からでも出し入れアクセスを可能とすると共に、長いハンドルをその側端部近くで引いても、ハンドルを正面から引いた場合と同様に円滑な動作をし、また、一回の引き出し動作によって、ラッチのロック解除もできるハンドルを備えた家具用ラッチ装置を提供する。【解決手段】可動部材１１に設けられるハンドル２１の両端に備えた脚部２１ｂを鏡板１３に設けた軸受体２２と、ハンドルと一体に動く作動部材２４と、クランク状の作動棒２６を回転させるように連繋された連繋駒部材２８とを備え、ハンドル２１の前後動によって動作棒２６にラッチ３３とつめ部材３４を離脱状態にする正回転と、ラッチ３３とつめ部材３４を係合状態にする反対回転を行わせるようにした。【選択図】図５
0003123723.tif 000002
【実用新案登録請求の範囲】
【請求項１】
家具本体の定位置に固定されたつめ部材とその家具本体に移動可能に設けられた抽出しや扉などの可動部材に配置されたクランク状の作動棒によって回転させられるラッチとを備え、前記つめ部材とラッチの係合及び離脱により前記可動部材を家具本体にロック及びロック解除するための家具用ラッチ装置において、
可動部材に設けられるハンドルの両端に備えた脚部を鏡板に対し前後摺動自在に保持するためその鏡板に設けた軸受体と、当該軸受体に前記脚部において支持されたハンドルと、前記鏡板の内面において前記ハンドルの脚部に結合されて当該ハンドルと一体に動くハンドルに平行な作動部材と、該作動部材に設けられ前記クランク状の作動棒を回転させるように連繋された連繋駒部材とを備え、前記ハンドルの前後動によって前記動作棒に前記ラッチとつめ部材を離脱状態にする正回転と、当該ラッチとつめ部材を係合状態にする反対回転を行わせるようにしたことを特徴とする家具用ラッチ装置。
【請求項２】
ハンドルと一体に動く作動部材に設けた連繋駒部材は、クランク状の作動棒に連繋する溝を具備した請求項１のラッチ装置。
【請求項３】
ハンドルは、作動部材に当接するストッパよって最大移動量を規制した請求項１又は２のラッチ装置。
【請求項４】
ラッチとつめ部材の係合を保持するバネ力は、前記作動棒と連繋駒部材を介してハンドルを原点位置に戻すバネ力として作用する請求項１ないし３のいずれかのラッチ装置。
【請求項５】
可動部材が抽出しであり、家具本体はその抽出しを出入れ可能に装備したキャビネット家具である請求項１ないし４のいずれかのラッチ装置。
【考案の詳細な説明】
【技術分野】
【０００１】
本考案は、家具用ラッチ装置に関し、詳しくは、鏡板に突出して設けられた引き手としてのハンドルを引くと、抽出しや扉などをロックしているラッチを開放すると同時に、抽出しの引き出し動作、あるいは扉の開き動作を許容するようにした家具用ラッチ装置に関する。
【背景技術】
【０００２】
事務用家具類においてキャビネットなどの抽出しの引き手として設けたハンドルは、一般に手掛かり部が鏡板の表面から凹陥した部位にあり、また、ラッチを解除する機構の操作片も前記ハンドルの内部に配置されているので、ラッチの解除と引き出し動作とを同時に行うことができる。このようなハンドルでは、例えば抽出しを引き出すためにまず操作片を操作してロックを解除し、そのまま抽出し本体を手前に引出している。
【０００３】
しかし、従来の抽出しのハンドルは、鏡板の中心部に位置しているため、抽出しを引き出すには抽出し鏡板のほぼ正面から操作しないと引き出す操作ができないか、操作しづらい。このため、鏡板の正面側ではなく、例えば抽出しの脇からでも引き出し操作を可能にするには、ハンドルを鏡板のほぼ幅一ぱいに設ければよいが、ハンドルを鏡板の幅一ぱいに設けるには、そのハンドルを鏡板表面から突出させて配置する必要がある。しかし、ハンドルを鏡板から突出させて設けた抽出しでは、ロックを解除する機構の操作片とハンドルを独立して配置しなければならない。そうすると、抽出しを引出すために、ロック解除の操作と抽出し本体の引き出し操作の二回に分けた操作が必要になり、使い勝手が良好でなくなる。
【０００４】
このような点に鑑み、鏡板に突出させて設けたハンドルに、ラッチの施，開放動作を連動させることを試みた抽出し用ハンドルを備えたラッチ装置が特許文献１，２により提案されている。
【０００５】
しかし、提案された突出ハンドルを備えたラッチ装置は、ハンドルの幅が従来の凹陥タイプのハンドル幅と余り変らず、従って、抽出しの脇からその抽出しを出し入れ操作するには、従来品と変らない問題がある。
【特許文献１】特開２００５−１６２２３号公報
【特許文献２】特開２００５−２７９０６２号公報
【考案の開示】
【考案が解決しようとする課題】
【０００６】
そこで本考案は、鏡面のほぼ幅一に形成したハンドルを鏡板表面から突出して設け、抽出しの脇からでも出し入れアクセスを可能とすると共に、長いハンドルをその側端部近くで引いても、ハンドルを正面から引いた場合と同様に円滑な動作をし、また、一回の引き出し動作によって、ラッチのロック解除もできるハンドルを備えた家具用ラッチ装置を提供することを、その課題とする。
【課題を解決するための手段】
【０００７】
上記課題を解決することを目的としてなされた本考案家具用ラッチ装置の構成は、家具本体の定位置に固定されたつめ部材とその家具本体に移動可能に設けられた抽出しや扉などの可動部材に配置されたクランク状の作動棒によって回転させられるラッチとを備え、前記つめ部材とラッチの係合及び離脱により前記可動部材を家具本体にロック及びロック解除するための家具用ラッチ装置において、可動部材に設けられるハンドルの両端に備えた脚部を鏡板に対し前後摺動自在に保持するためその鏡板に設けた軸受体と、当該軸受体に前記脚部において支持されたハンドルと、前記鏡板の内面において前記ハンドルの脚部に結合されて当該ハンドルと一体に動くハンドルに平行な作動部材と、該作動部材に設けられ前記クランク状の作動棒を回転させるように連繋された連繋駒部材とを備え、前記ハンドルの前後動によって前記動作棒に前記ラッチとつめ部材を離脱（非係合）状態にする正回転と、当該ラッチとつめ部材を係合状態にする反対回転を行わせるようにしたことを特徴とするものである。
【０００８】
本考案では、上記構成において、ハンドルと一体に動く作動部材に設けた連繋駒部材に、クランク状の作動棒に連繋する溝を具備させた。また、前記ハンドルは、作動部材に当接するストッパよって最大移動量を規制している。
【０００９】
本考案では、ラッチとつめ部材の係合を保持するバネ力は、前記作動棒と連繋駒部材を介してハンドルを原点位置に戻すバネ力としても利用しているので、ハンドルの戻り動作専用のバネが不要である。
【００１０】
本考案ラッチ装置の適用対象は、一例として、可動部材が抽出しであり、家具本体はその抽出しを出し入れ可能に装備したキャビネット家具として構成されたものである。
【考案の効果】
【００１１】
本考案家具用ラッチ装置は、可動部材に設けられるハンドルの両端に備えた脚部を鏡板に対し前後摺動自在に保持するため可動部材の鏡板を設けた軸受体と、当該軸受体に前記脚部において支持されたハンドルと、前記鏡板の内面において前記ハンドルの脚部に結合されて当該ハンドルと一体に動くハンドルに平行な作動部材と、該作動部材に設けられ前記クランク状の作動棒を回転させるように連繋された連繋駒部材とを備え、前記ハンドルの前後動によって前記動作棒に前記ラッチとつめ部材を非係合状態にする正回転と、当該ラッチとつめ部材を係合状態にする反対回転を行わせるようにしたので、ハンドルを抽出しや扉などの鏡板可動部材にほぼ幅（長さ）いっぱいの長さに形成して、その鏡板から突出させて配置することたでき、また、そのハンドルの側端部を引いても、中心部を引いた場合と同様の円滑な摺動動作をする。さらに、ハンドルの一回の引き出し動作によって、ラッチのロック解除と抽出しの引き出し操作をすることができる。
【００１２】
ハンドルは可動部材の鏡板から突出させて配置しても、或は、可動部材の鏡板内に埋込み配置しても本考案が成り立つので、ハンドル形態の自由度の高い、斬新なハンドルスタイルを備えた家具のラッチ装置を提供することができる。
【考案を実施するための最良の形態】
【００１３】
次に、添付した図を参照して本考案家具用ラッチ装置の実施の形態を説明する。添付図は本考案家具用ラッチ装置の一実施の形態を示すもので、図１は本考案家具用ラッチ装置を備える抽出しキャビネットの正面図、図２は図１の右側面図、図３は図１の３−３線に沿う本考案家具用ラッチ装置の側面図、図４は図３の４−４線に沿う正面図、図５は図３及び図４に示す本考案家具用ラッチ装置の分解斜視図である。
【００１４】
本考案家具用ラッチ装置を備える抽出しキャビネットは、図１及び図２に示すように、抽出し１１を上下に二段備えている。なお、本考案が適用できる家具は、抽出しを備えたキャビネット家具のほか、引き手を手前に引く片開き、或いは、両開き扉を備えたロッカーなどの家具にも適用できる。
【００１５】
前記抽出し１１は、ハンドル２１を手前側に引くことによって、キャビネット本体１２から図１の手前側に引き出されるようになっている。
【００１６】
抽出し１１は、図４に示すように、鏡板１３と、一対の側面板１４ａ、背面板１４ｂ及び底板１４ｃをもつ収納部１４（抽出し本体）とからなっている。側面板１４ａは、互いに平行配置され、前縁を鏡板１３に、後縁を背面板１４ｂに結合されている。底板１４ｃは、前を鏡板１３に、後縁を背面板１４ｂの下縁に、側縁を側面板１４ａの下縁に結合されている。
【００１７】
鏡板１３は前面部１３ａ及び背面部１３ｂを具備している。これらの前面部１３ａと背面部１３ｂは、周縁部において互いに結合され、厚みの薄い中空の箱状に構成されている。
【００１８】
本考案家具用ラッチ装置は、鏡板１３の前面部１３ａの前面に、その鏡板１３の横幅（正面幅）とほぼ同等乃至少し短かい程度の長いハンドル２１とその支持部を構成する部材を配置すると共に、その他の構成要素を前面部１３ａと背面部１３ｂとの間に形成される空間に配置している。
【００１９】
ハンドル２１は、図２〜図４に示すように、水平で長目（鏡板１３の正面幅より少し短い）のハンドルバー２１ａと、ハンドルバー２１ａの両端付近に位置して、このハンドルバー２１ａに直交した左右の脚部２１ｂとを備えている。左右の脚部１２ｂを摺動可能に遊嵌支持するハンドルベースとなるブロック状の軸受体２２は、孔２２ａを前面板１３ａに設けた孔と一致させて前面板１３ａの表面に裏からビス止めなどにより固定している。これによりハンドル２１の脚部２１ｂは、ハンドルベースとなる軸受体２２にある孔２２ａを貫通して鏡板１３の裏面側へ突出する。
【００２０】
後述するクランク状の作動棒２６を回転自在に支持する取付枠２３は、背面板１４ａの正面幅内に収まる長さを有し、その左右に側面壁２３ａを備えて前面が開放されたチャネル形（略コ状）断面の部材で形成し、背壁２３ｂを鏡板１３の背面板１４ａに固定している。この作動棒２６の取付枠２３には、前面開口部から後述する横長の作動部材２４が遊嵌される。
【００２１】
鏡板１３の裏面に軸受体２２の穴を通って突出した脚部２１ｂには作動部材２４が取付けられている。作動部材２４は、左右側面と後面が開放された横長のチャネル形（ほぼ逆コ字状）断面の部材で形成し、手前側の前壁２４ａを前にしてネジ２４ｃにより左右の脚部２１ｂに合着されている。すなわち、鏡板１３の裏面側に位置した脚部２１ｂの先端は、ハンドルベースである軸受体２２、鏡板の前面部１３ａを貫通して作動部材２４の孔２４ｂに達するので、作動部材２４の前壁２４ａにねじ２４ｃを螺子込んで脚部２１ｂの先端部と結合されている。この構成によってハンドル２１を水平方向（抽出しの引き出し方向）に引く（又は押す）と、作動部材２４がハンドル２１と一緒に前後摺動する。この摺動は、左右の脚部２１ｂがブロック状の軸受体２２の穴に支持されているので、ハンドル２１のどの部位を掴んで動かしても、円滑な平行移動をする。
【００２２】
上記の作動部材２４に対しては、その前後移動量、即ち、ハンドル２１の前後移動量を制限するために、作動棒２６の取付枠２３の開口面に作動部材２４を挟んだ形でストッパ２５が取付けられている。ストッパ２５は、側断面Ｌ字形を呈し、前壁２５ａの下方に背部に向かってＬ字形に延びる下片２５ｂを備えた部材からなり、下片２５ｂが作動部材２４と作動棒２６の取付枠２３の下壁に設けた角孔を通り、上壁に設けたねじ孔２５ｃが取付枠２３の上壁２３ｄに設けられたねじ孔２３ｃに合わせて配置され、ねじ孔２５ｃと２３ｃにねじ２５ｄを螺入することにより取付枠２３に結合されている。
【００２３】
クランク状の作動棒２６は、一例として丸棒をクランク状に曲げ加工した部材で形成し、取付枠２３の内部に回転可能に配置されている。すなわち、取付枠２３の内部には軸受２７が配置され、作動棒２６を回転可能に支持している。作動棒を支持した軸受２７は平面略Ｌ字状の部材で、作動棒２６と直交する向きの受け壁２７ａが取付枠２３を横切る向きで当該枠２３の内部に配置され、取付枠２３と平行な壁が当該枠２３の背壁２３ｂの内面に固定されている。ここで、作動棒２６は作動棒の軸受２７の壁２７ａに設けた孔２７ｂに挿通して支持されている。
【００２４】
一方、作動部材２４の内部には、作動棒２６に係合する連繋駒部材２８が配置されている。連繋駒部材２８は、平面略Ｌ字状の部材で形成し、前壁２８ａに設けた孔２８ｂを通るねじ２８ｃによって前壁２８ａを作動部材２４の前壁２４ａに締結して作動部材２４と一体化されていると共に、側壁に設けた係合溝２８ｄに作動棒２６を遊嵌させている。
【００２５】
上記構成によって、ハンドル２１と作動部材２４が一体になって前後動すると、作動棒２６に連繋する駒部材２８が作動部材２４と一緒に動くので、この作動部材２４と一体化されている前記駒部材２８はクランク状の作動棒２６を往復回転させる。
【００２６】
３１はラッチ軸で、丸棒を正面から見てほぼ倒立Ｌ字状に曲げた部材により形成され、縦向きで鏡板１３の裏面に配設され、その水平部３１ａが作動棒２６の端部に垂設した形のアーム部２６ａに当接させられている。縦向きのラッチ軸３１はその垂直部がラッチベース３２の内部を貫通して当該ベース３２に回転可能に保持されているので、ラッチ３３は、このラッチ軸３１の垂直部に嵌合して一体化され、ラッチ軸３１が回転すると、水平面内で回転するようにラッチベース３２に設けられている。ラッチ３３には、当該ラッチ３３を常時つめ部材３４の側に押出してロック状態を保持するバネ３５が設けられている。
【００２７】
つめ部材３４は、前記ラッチ３３に係合して抽出し１１をキャビネット本体１２にロックするためのもので、キャビネット本体１２の内面であって前記ラッチ３３に対面する位置に固定されている。ここで、前記ラッチ３３はバネ３５のバネ力によってそのラッチ３３に形成された係合孔３２ａがつめ部材３４に強制係合されることによりロック状態になる。
【００２８】
バネ３５としては、一例としてテーパー状コイルばねや板ばねを用いることができる。バネ３５は、ラッチ３３の係合孔３２ａをつめ部材３４に向けて常時押圧して係合状態を保持することにより、抽出し１１をキャビネット本体１２にロックすると共に、このロック状態のバネ力がラッチ軸２１、クランク状の作動棒２６を介して、作動部材２４とハンドル２１をロック位置に保持する。
【００２９】
次に、本考案ラッチ装置の使用状態の一態様について説明する。
使用者がハンドル２１におけるハンドルバー２１ａを手でつかみ、手前側に引くと、ハンドル２１はその脚部２１ｂがハンドルベースである軸受体２２に支持されているので、これにガイドされて手前側に水平移動する。この移動はハンドル２１の左右の脚部２１ｂを介して作動部材２４を手前側に平行に引き寄せるが、作動部材２４は、その左右が軸受体２２に支持された脚部２１ｂにより支持されていることと、作動棒２６の取付枠２３にガイドされていることにより、ハンドル２１と一体になった水平な平行移動をする。ハンドル２１と作動部材２４との一体となった平行移動は、左右の脚部２１ｂが軸受体２２に摺動可能に支持されていることにより、ハンドル２１の中心部を引いても、片側に寄った部位を引いても、いずれの場合も同質で円滑な平行移動を実現する。
【００３０】
手前に引かれて水平移動した作動部材２４がストッパ２５の前壁２５ａの背面に当るまで、作動棒２６に連繋した駒部材２８もハンドル２１と同方向に平行移動するから、クランク状の作動棒２６はこの作動棒を支持している軸受２７の上で回転し、端部にあるアーム部２６ａを前方に回転させる。
【００３１】
この動作によって、ラッチ軸３１の水平部３１ａが水平面内で回転するから、縦向きのラッチ軸３１が回転してラッチ３３を水平面内で回転させ、これによってラッチ３３をつめ部材３４の係合から外す。この結果、可動部材としての抽出し１１は、キャビネット本体１２からロック解除され、ハンドル２１の引き出し操作と一緒にキャビネット本体１２から引き出される。
【００３２】
抽出し１１を引き出してハンドル２１から手を放すと、ハンドル２１はバネ３５のバネ力によって戻り方向に水平移動し、ロック時の位置に復帰する。即ち、バネ３５のバネ力は、作動部材２４を引き出したときとは逆方向に水平移動させ、この作動部材２４をストッパ２５から離し、作動棒２６の連繋駒部材２８も引き出し時とは逆方向に移動させる。これによって作動棒２６はその軸受２７上で逆転してアーム部２６ａを逆方向に揺（回転）させ、ラッチ軸３１を反転させて、ラッチ３２をつめ部材３４に係合させるので、抽出し１１がキャビネット本体１２に再びロックされることになる。
【００３３】
なお、本考案においては、作動部材２４と連繋駒部材２８を、一つの部材によって形成してもよい。また、ラッチ３３とつめ部材２４の配置位置は、図示した例に限られない。即ち、図示した例の反対側の側面、或は、側面での高さは、任意の位置に配置することができる。
【００３４】
以上説明した実施の形態において、本考案家具用ラッチ装置は、可動部材としてのロッカーの抽出し１１を家具本体としてのキャビネット本体１２からロック解除及びロックしているが、机の抽出しに対しても本考案を適用することができ、必要に応じて、衣服ロッカーなどの家具における扉にも本考案を適用することができる。扉の場合、ハンドル２１の向きは縦向き、又は、横向きのいずれであってもよい。
【産業上の利用可能性】
【００３５】
本考案家具用ラッチ装置は、ハンドルを抽出しや扉などの鏡板可動部材にほぼ幅（長さ）いっぱいの長さに形成し、その鏡板から突出して配置し、そのハンドルの側端部を引いても、中心部を引いた場合と同様の動作をすることができ、また、一回の引き出し動作によって、可動部材を家具本体からロック解除して可動部材（抽出し）を引き出すことができる。従って、ハンドル（引き手）の配置スタイルの自由度が高い、ざん新なスタイルの家具を得る上できわめて有用なラッチ装置である。
【図面の簡単な説明】
【００３６】
【図１】本考案家具用ラッチ装置を備える抽出しキャビネットの正面図。
【図２】図１の右側面図。
【図３】図１の３−３線に沿う本考案家具用ラッチ装置の側面図。
【図４】図３の４−４線に沿う正面図。
【図５】図３及び図４に示す本考案家具用ラッチ装置の分解斜視図。
【符号の説明】
【００３７】
１１    抽出し（可動部材）
１２    キャビネット本体（家具本体）
１３    鏡板
１４    収納部
２１    ハンドル
２１ａ  ハンドルバー
２１ｂ  脚部
２２    ハンドルベースとしての軸受体
２３    作動棒２６の取付枠
２４    作動部材
２５    ストッパ
２６    クランク状の作動棒
２７    作動棒の軸受
２８    連繋駒部材
３１    ラッチ軸
３２    ラッチベース
３３    ラッチ
３４    つめ部材
３５    バネ
【図１】
0003123723.tif 000003
【図２】
0003123723.tif 000004
【図３】
0003123723.tif 000005
【図４】
0003123723.tif 000006
【図５】
0003123723.tif 000007